(57)【要約】【課題】通信エラーが生じた送信ジョブの再送にかかる手間を減らす。【解決手段】送信装置は、表示パネル、操作部、通信部、記憶部、制御部を備える。制御部は設定された宛先に向けて通信部に画像データを送信させ、実行された送信ジョブの履歴を記憶部に不揮発的に記憶させる。履歴は、宛先と、送信した又は送信しようとした画像データである送信用画像データと、送信結果を含む。制御部は、履歴の一覧表を表示パネルに表示させる。制御部は、一覧表において、通信エラーがあった履歴に対して再送ボタンを表示させる。再送ボタンが操作されたとき、制御部は、再送ボタンが操作された履歴（再送対象履歴）に含まれる送信用画像データを、再送対象履歴に含まれる宛先に向けて通信部に送信させる。【選択図】図１２
2018064195.tif 000002
【特許請求の範囲】
【請求項１】
画面、画像を表示する表示パネルと、
送信ジョブの宛先の設定と送信ジョブの実行指示を受け付ける操作部と、
データの送信を行う通信部と、
データを記憶する記憶部と、
送信ジョブの実行が指示されたとき、前記操作部で設定された宛先に向けて前記通信部に画像データを送信させ、実行された送信ジョブの履歴を前記記憶部に不揮発的に記憶させ、前記履歴には、宛先と、送信した又は送信しようとした画像データである送信用画像データと、送信結果と、を含ませる制御部と、を備え、
実行された各送信ジョブの前記履歴の一覧表を表示させるための操作が前記操作部になされたとき、
前記制御部は、
前記一覧表を前記表示パネルに表示させ、
前記一覧表に含まれる前記履歴のうち、通信エラーがあった前記履歴に対して再送ボタンを表示させ、
前記再送ボタンが操作されたとき、
前記再送ボタンが操作された前記履歴である再送対象履歴に含まれる前記送信用画像データを、前記再送対象履歴に含まれる前記宛先に向けて前記通信部に送信させることを特徴とする送信装置。
【請求項２】
前記操作部は、同じ画像データを複数の宛先に送信する同報送信の設定を受け付け、
前記制御部は、同報送信の送信ジョブの前記履歴に、それぞれの宛先と、宛先ごとの送信結果と、前記送信用画像データと、を含ませ、
前記再送対象履歴が同報送信の送信ジョブの前記履歴であるとき、
同報送信の前記再送対象履歴に含まれる前記宛先のうち、通信エラーになった宛先に向けて、前記送信用画像データを前記通信部に送信させ、送信結果が通信エラーではない宛先に向けて前記送信用画像データを前記通信部に送信させないことを特徴とする請求項１に記載の送信装置。
【請求項３】
前記制御部は、
発生した通信エラーの内容を前記履歴に含ませ、
前記一覧表を表示する場合、予め定められた通信エラーである再送対象エラーが発生した前記送信ジョブの前記履歴に対して前記再送ボタンを表示させ、
前記再送対象エラー以外の通信エラーが発生した前記送信ジョブの前記履歴に対しては前記再送ボタンを表示させないことを特徴とする請求項１又は２に記載の送信装置。
【請求項４】
前記再送対象エラーは、Ｂｕｓｙの通信エラーと、宛先の不存在の通信エラーを含むことを特徴とする請求項３に記載の送信装置。
【請求項５】
前記制御部は、前記送信用画像データの送信前に、前記送信用画像データの宛先を設定するための宛先設定画面を前記表示パネルに表示させ、
前記操作部は、前記宛先設定画面での宛先設定を受け付け、
前記制御部は、通信エラーになった宛先に変えて、前記宛先設定画面で設定された新宛先に向けて、前記送信用画像データを前記通信部に送信させることを特徴とする請求項１乃至４の何れか１項に記載の送信装置。
【請求項６】
前記制御部は、前記一覧表に含まれる前記履歴のうち、通信エラーがあった前記履歴に対して再送不要ボタンを前記表示パネルに表示させ、
操作された前記再送不要ボタンに対応する前記履歴に含まれる前記送信用画像データを前記記憶部に消去させ、
前記一覧表を表示する場合、前記再送不要ボタンが操作された前記履歴に対し、前記再送ボタンと前記再送不要ボタンを表示させないことを特徴とする請求項１乃至４の何れか１項に記載の送信装置。
【請求項７】
前記再送対象履歴に複数の前記宛先が含まれる場合、
前記制御部は、通信エラーになった宛先が多いほど前記再送ボタンの表示サイズを大きくすることを特徴とする請求項５に記載の送信装置。
【請求項８】
前記制御部は、
前記送信ジョブの送信日時を前記履歴に含ませ、
前記送信日時から予め定められた保持期間が経過した前記履歴に含まれる前記送信用画像データを前記記憶部に消去させることを特徴とする請求項１乃至６の何れか１項に記載の送信装置。
【請求項９】
請求項１乃至８の何れか１項に記載の送信装置を含むことを特徴とする画像形成装置。
【発明の詳細な説明】
【技術分野】
【０００１】
本発明は、表示パネル、操作部、通信部を有し、画像データを送信する送信装置に関する。また、この送信装置を含む画像形成装置に関する。
【背景技術】
【０００２】
ファクシミリ装置のような画像データを送信する装置がある。送信するには、宛先を設定することが必要である。誤った宛先を設定（入力）した場合、宛先の再設定と画像データの再送が必要である。送信内容によっては、宛先の再設定が煩わしい場合がある。宛先の再設定の煩わしさを改善する技術の一例が特許文献１に記載されている。
【０００３】
具体的に、特許文献１には、キーボード８による送信宛先の入力を間違えた場合、同報送信する際に、キーボード８により指定した送信宛先のみを変更できるようにしたファクシミリ装置が記載されている。この構成により、同報送信のため、入力した総ての送信宛先を削除することなく、指定した送信宛先のみを変更できるようにしようとする（特許文献１：要約、請求項１、段落［０００４］）。なお、同報送信とは、複数の宛先を設定できるようにし、同じ画像を複数の宛先に順次送信する機能である。
【先行技術文献】
【特許文献】
【０００４】
【特許文献１】特開２０００−０２９６４４号公報
【発明の概要】
【発明が解決しようとする課題】
【０００５】
複合機、複写機、ＦＡＸ装置のような画像形成装置では、画像データを送信できる。つまり、画像形成装置には送信ジョブ実行機能を有するものがある。使用者は、送信ジョブに関する項目や宛先を設定する。例えば、解像度や送信方式のような項目を設定する。設定完了後、送信ジョブが実行される。
【０００６】
送信ジョブでは、通信エラー（送信エラー）が生ずることがある。通信エラーが発生した場合、相手方に全情報が伝えられないまま通信が終わることがある。この場合、再送信が必要となる。再送信のため、使用者は、通信エラーが生じた送信ジョブの設定の再現操作を最初から行う必要がある（操作のやり直し）。しかし、画像形成装置の高機能化により、設定する項目が多数に及ぶ場合がある。通信エラーが発生した場合、再送の設定操作（再送信作業）に手間がかかるという問題がある。再送信作業が煩わしいと感じる使用者もいる。
【０００７】
特許文献１記載の技術では同報送信の宛先を変更することができる。しかし、通信エラーが発生した送信ジョブの再送に関する技術ではない。また、特許文献１記載の技術では、使用者が間違いに気づかない場合、誤った宛先のまま処理が継続される。また、再送信作業の簡素化に関する記載はない。従って、特許文献１記載の技術では上記の問題を解決することはできない。
【０００８】
本発明は、上記従来技術の問題点に鑑みてなされたものであり、通信エラーが生じた送信ジョブの再送にかかる手間を減らす。
【課題を解決するための手段】
【０００９】
上記課題解決のため、請求項１に係る送信装置は、表示パネル、操作部、通信部、記憶部、制御部を備える。前記表示パネルは、画面、画像を表示する。前記操作部は、送信ジョブの宛先の設定と送信ジョブの実行指示を受け付ける。前記通信部はデータの送信を行う。前記記憶部はデータを記憶する。前記制御部は送信ジョブの実行が指示されたとき、前記操作部で設定された宛先に向けて前記通信部に画像データを送信させ、実行された送信ジョブの履歴を前記記憶部に不揮発的に記憶させ、前記履歴には、宛先と、送信した又は送信しようとした画像データである送信用画像データと、送信結果を含ませる。実行された各送信ジョブの前記履歴の一覧表を表示させるための操作が前記操作部になされたとき、前記制御部は、前記一覧表を前記表示パネルに表示させる。前記制御部は、前記一覧表に含まれる前記履歴のうち、通信エラーがあった前記履歴に対して再送ボタンを表示させる。前記再送ボタンが操作されたとき、前記制御部は、前記再送ボタンが操作された前記履歴である再送対象履歴に含まれる前記送信用画像データを、前記再送対象履歴に含まれる前記宛先に向けて前記通信部に送信させる。
【発明の効果】
【００１０】
本発明によれば、通信エラーが生じた送信ジョブの再送にかかる手間が少ない送信装置、画像形成装置を提供することができる。
【図面の簡単な説明】
【００１１】
【図１】実施形態に係る複合機の一例を示す図である。
【図２】実施形態に係るホーム画面の一例を示す図である。
【図３】実施形態に係る宛先設定画面の一例を示す図である。
【図４】実施形態に係るソフトウェアキーボード画面の一例を示す図である。
【図５】実施形態に係るアドレス帳画面の一例を示す図である。
【図６】実施形態に係る宛先登録画面の一例を示す図である。
【図７】実施形態に係る送信装置での履歴の記憶の流れの一例を示すフローチャートである。
【図８】実施形態に係る履歴の一例を示す図である。
【図９】実施形態に係る送信装置での履歴の一覧表の一例を示す図である。
【図１０】実施形態に係る送信装置での履歴の一覧表の一例を示す図である。
【図１１】実施形態に係る送信装置での履歴の一覧表の一例を示す図である。
【図１２】実施形態に係る再送ボタン操作時の処理の流れの一例を示すフローチャートである。
【図１３】実施形態に係る再送不要ボタン操作時の処理の流れの一例を示すフローチャートである。
【図１４】実施形態に係る再送対象エラーの一例を示す図である。
【図１５】実施形態に係る送信用画像データの自動的な削除の処理の流れの一例を示すフローチャートである。
【図１６】実施形態に係る送信装置での再送ボタンの表示の一例を示す図である。
【図１７】実施形態に係る送信装置での再送ボタンの表示の一例を示す図である。
【発明を実施するための形態】
【００１２】
以下、図１〜図１７を用いて本発明の実施形態を説明する。以下の説明では、送信装置１０を含む画像形成装置を説明する。画像形成装置として複合機１００を例に挙げて説明する。但し、本実施の形態に記載されている構成、配置等の各要素は、発明の範囲を限定するものではなく単なる説明例にすぎない。
【００１３】
（複合機１００）
まず、図１を用いて、実施形態に係る複合機１００を説明する。図１は、実施形態に係る複合機１００の一例を示す図である。
【００１４】
複合機１００は、制御部１、ストレージ２１、操作パネル３を含む。制御部１は複合機１００の各部を制御する。制御部１は、ＣＰＵ１１、画像処理部１２、ＲＯＭ２２、ＲＡＭ２３、を含む。ＣＰＵ１１は各種演算や処理を行う。ＣＰＵ１１は複合機１００の各部を制御する。画像処理部１２はＡＳＩＣであり、画像データに対し画像処理を行う。画像処理部１２は印刷や送信のようなジョブに用いる画像データを生成する。
【００１５】
複合機１００は、ストレージ２１を含む。ストレージ２１は記憶部２２８の一部である。ストレージ２１は、ＨＤＤのような大容量の不揮発性記憶装置である。ストレージ２１は制御部１と通信可能に接続される。記憶部２は、ＲＯＭ２２、ストレージ２１のような不揮発性の記憶装置と、ＲＡＭ２３のような揮発性の記憶装置を含む。記憶部２はデータを記憶する。ＣＰＵ１１は、ＲＯＭ２２、ＲＡＭ２３、ストレージ２１に記憶されたプログラムや制御用データに基づき、演算や処理を行う。
【００１６】
複合機１００は、原稿搬送部４ａと画像読取部４ｂを含む。原稿搬送部４ａには、原稿がセットされる。制御部１は、１枚ずつ連続的、自動的に原稿を原稿搬送部４ａに搬送させる。原稿は、読み取り位置（送り読取用コンタクトガラス、不図示）に向けて搬送される。制御部１は、原稿搬送部４ａが搬送する原稿や、載置読取用コンタクトガラス（不図示）にセットされた原稿を画像読取部４ｂに読み取らせる。画像読取部４ｂは、読み取った原稿の画像データを生成する。
【００１７】
印刷部５が複合機１００の内部に設けられる。印刷部５は給紙部５ａ、用紙搬送部５ｂ、画像形成部５ｃ、定着部５ｄを含む。印刷部５は、操作パネル３での使用者の設定に応じた印刷を行う。印刷時、制御部１は、給紙部５ａに用紙を供給させる。制御部１は、供給された用紙を用紙搬送部５ｂに搬送させる。制御部１は、画像データに基づきトナー像を画像形成部５ｃに形成させる。制御部１は、搬送される用紙へのトナー像の転写を画像形成部５ｃに行わせる。制御部１は、トナー像が転写された用紙を定着部５ｄに加熱・加圧させる。これにより、用紙にトナー像が定着する。定着後の用紙は機外に排出される。
【００１８】
制御部１は、通信部６と接続される。通信部６は、データの送受信を行う。通信部６は、ネットワーク通信部６１とファクシミリ通信部６２を含む。ネットワーク通信部６１とファクシミリ通信部６２により、複合機１００はコンピューター２００やＦＡＸ装置３００と通信できる。ネットワーク通信部６１は、ネットワーク通信用のコネクターや通信制御用のチップを含む。ネットワーク通信部６１は、通信網を介し、ＰＣやサーバーのようなコンピューター２００と通信を行う。ファクシミリ通信部６２は、ファクシミリ通信用のコネクターや、モデムや、通信回路を含む。ファクシミリ通信部６２は、電話回線網を介し、ＦＡＸ装置３００と通信を行う。これにより、通信部６は、原稿読み取りに基づく画像データをコンピューター２００やＦＡＸ装置３００に送信できる（送信ジョブ）。
【００１９】
制御部１は、操作パネル３に関する制御を行う。操作パネル３は、表示パネル３１、タッチパネル３２、複数のハードキー３３を含む。タッチパネル３２、ハードキー３３は操作部として機能する。制御部１は、表示パネル３１の表示を制御する。表示パネル３１は印刷やスキャンのようなジョブに関する画面、メッセージ、画像を表示する。また、表示パネル３１は、操作用画像を表示する。操作用画像は、ソフトキー、ボタン、タブ、チェックボックス、ラジオボタンのような操作のための画像である。
【００２０】
表示パネル３１に対してタッチパネル３２が設けられる。制御部１は、タッチパネル３２と接続される。タッチパネル３２の出力に基づき、制御部１は、操作された操作用画像（操作位置）を認識する。これにより、制御部１は、使用者の操作内容を認識する。制御部１は、操作された操作用画像に応じた画面を表示パネル３１に表示させる。
【００２１】
操作パネル３は、複数のハードキー３３を含む。各ハードキー３３は制御部１と接続される。例えば、ハードキー３３として、スタートキーやテンキー部が設けられる。スタートキーは、ジョブの実行指示用のキーである。テンキー部は、部数や番号のような数字の入力用のキーである。制御部１はハードキー３３への操作を認識する。操作パネル３は、使用者による設定操作やジョブの実行指示を受け付ける。タッチパネル３２とハードキー３３からの信号に基づき、制御部１は使用者の操作内容（設定内容）を認識する。
【００２２】
（送信ジョブの設定）
次に、図２〜図６を用いて、実施形態に係る操作パネル３での送信ジョブの設定例を説明する。図２は実施形態に係るホーム画面７１の一例を示す図である。図３は実施形態に係る宛先設定画面７２の一例を示す図である。図４は実施形態に係るソフトウェアキーボード画面７３の一例を示す図である。図５は、実施形態に係るアドレス帳画面７４の一例を示す図である。図６は、実施形態に係る宛先登録画面７５の一例を示す図である。
【００２３】
図２に示すホーム画面７１は階層上、最上位の画面である。以下のとき、制御部１はホーム画面７１を表示パネル３１に表示させる。例えば、主電源投入により複合機１００（操作パネル３）が起動したとき、省電力モードが解除されたとき、使用者の操作後、何も操作されないまま所定のオートリセット時間が経過したとき、ジョブが完了したとき、ホーム画面７１を表示させるための操作がなされたとき、ホーム画面７１が表示される。
【００２４】
制御部１は、複数のジョブ選択キーＫ１をホーム画面７１内に表示させる。ジョブ選択キーＫ１は、実行するジョブの種類を選択するためのソフトウェアキーである。ジョブ選択キーＫ１の操作により、コピージョブ、スキャン送信ジョブ、ＦＡＸ送信ジョブ、ボックスジョブのようなジョブの種類（機能）を選択できる。ジョブ選択キーＫ１のうち、スキャン送信キーＫ１ａ、ＦＡＸ送信キーＫ１ｂは送信ジョブを選択するためキーである。
【００２５】
スキャン送信ジョブ、ＦＡＸ送信ジョブのとき、原稿は原稿搬送部４ａ、画像読取部４ｂで読み取られる。読み取りで得られた画像データはＲＡＭ２３に転送される。画像処理部１２は読み取りで得られた画像データへの画像処理を行う。制御部１は、操作パネル３で設定された宛先に向けて、画像処理部１２で処理された画像データを通信部６に送信させる。このように、複合機１００の一部が送信装置１０として機能する。複合機１００は送信装置１０を含む。例えば、送信装置１０は、制御部１、記憶部２、操作パネル３（表示パネル３１、タッチパネル３２、ハードキー３３）、通信部６を含む。
【００２６】
送信ジョブに関する各種設定を操作パネル３で行うことができる。例えば、解像度、色設定のような項目について設定値を設定することができる。また、宛先の設定も操作パネル３で行うことができる。操作部（タッチパネル３２やハードキー３３）が所定の操作を受け付けたとき、制御部１は、宛先設定画面７２を表示パネル３１に表示させる。図３は、宛先設定画面７２の一例を示す。使用者は宛先設定画面７２にて宛先を設定する。
【００２７】
送信装置１０（複合機１００）では、電子メール、フォルダー送信、ファクシミリ送信を行うことができる。電子メールで画像データを送信する場合、宛先はメールアドレスである。フォルダー送信は、ＳＭＢプロトコルやＦＴＰプロトコルに準拠した送信方式である。フォルダー送信では、ＰＣの共有フォルダーやＦＴＰサーバー上のフォルダーに画像データを送信できる。フォルダー送信を行う場合、宛先は保存先フォルダーのパスである。ファクシミリ送信を行う場合、宛先はファクシミリ番号である。
【００２８】
宛先を手入力することにより宛先を設定することができる。宛先設定画面７２にはメールキーＫ２、フォルダーキーＫ３、ファクシミリキーＫ４が配される。メールキーＫ２は電子メール送信に対応する。フォルダーキーＫ３はフォルダー送信に対応する。ファクシミリキーＫ４はファクシミリ送信に対応する。タッチパネル３２がメールキーＫ２、フォルダーキーＫ３、ファクシミリキーＫ４の何れかのキーへの操作を受け付けたとき、制御部１は、ソフトウェアキーボード画面７３を表示パネル３１に表示させる。図４は、ソフトウェアキーボード画面７３の一例を示す。ソフトウェアキーボード画面７３に配された各キーを操作し、使用者は、メールアドレス、パス、ファクシミリ番号の何れかを宛先として入力する。
【００２９】
また、記憶部２に不揮発的に記憶されている（登録されている）宛先（アドレス帳データ）を選択して宛先を設定することもできる。アドレス帳キーＫ５が操作されたとき、制御部１はアドレス帳画面７４を表示パネル３１に表示させる。図５はアドレス帳画面７４の一例を示す。制御部１は宛先リスト７ａをアドレス帳画面７４内に表示させる。制御部１は、１件の宛先に関する情報を宛先リスト７ａの１行内に表示させる。１行内に宛先の種別（送信方式）、宛名、宛先（アドレス情報）が含まれる。各行左端にチェックボックス７ｂが配される。使用者は、画像データを送信したい宛先の行のチェックボックス７ｂにチェックを入れる。図５は宛先リスト７ａの２行目のチェックボックス７ｂにチェックを入れた状態を示す。図５の状態でＯＫキーＫ６が操作された場合、制御部１はサポート部のメールアドレスが選択されたと認識する。制御部１は、サポート部のメールアドレスを送信ジョブの宛先と認識する。
【００３０】
アドレス帳画面７４の右側に配されたスクロールバーが操作されたとき、制御部１は、宛先リスト７ａをスクロールさせる。制御部１は、宛先リスト７ａ内に他の登録宛先を表示させる。アドレス帳画面７４にはメニューキーＫ７が配される。メニューキーＫ７を操作することにより、宛先の種別や、宛先の頭文字で宛先リスト７ａに表示する登録宛先を絞り込むことができる。
【００３１】
アドレス帳データに宛先を追加、変更することができる。図６は宛先登録画面７５の一例を示す図である。操作パネル３に所定の操作がなされたとき、制御部１は宛先登録画面７５を表示パネル３１に表示させる。宛先登録画面７５には、宛先名、ＳＭＢ、メールアドレス、ファクシミリ番号、ＦＴＰのような項目が表示される。各項目には変更キーＫ８が配される。変更キーＫ８が操作されたとき、制御部１はソフトウェアキーボード画面７３を表示パネル３１に表示させる。これにより、登録する宛先の宛先名、メールアドレス、パス、ファクシミリ番号などを設定することができる。
【００３２】
制御部１は、タッチパネル３２、ハードキー３３を用いて入力された宛先を宛先表示欄７ｃに表示させる。１つの送信ジョブにおいて、複数の宛先を選択（設定）することができる。例えば、アドレス帳画面７４で複数のチェックボックス７ｂにチェックを入れて、複数の宛先を設定することができる。また、１つの宛先が設定されている状態で、ソフトウェアキーボード画面７３で別の宛先を入力することもできる。
【００３３】
宛先設定画面７２には、宛先数表示欄７ｄが設けられる。制御部１は、設定された宛先数を宛先数表示欄７ｄに表示させる。図３は、４つの宛先が設定されたときの状態の一例を示す。なお、送信の種別（宛先のタイプ）は同じでなくてもよい。つまり、メールアドレスとパスとファクシミリ番号を同時に宛先に設定することができる。複数の宛先が設定された場合、制御部１は、同報送信を通信部６に行わせる。同報送信は、複数の宛先に向けて同じ内容（同様の画像）を送信するジョブである。つまり、操作部は、同じ画像データを複数の宛先に送信する同報送信の設定を受け付ける。
【００３４】
（履歴８の記憶）
次に、図７、図８を用いて、実施形態に係る送信装置１０での履歴８の記憶の一例を説明する。図７は、実施形態に係る送信装置１０での履歴８の記憶の流れの一例を示すフローチャートである。図８は、実施形態に係る履歴８の一例を示す図である。
【００３５】
図７のスタートは、送信ジョブを開始する時点である。例えば、ハードキー３３（スタートキー）が操作された時点である。言い換えると、操作部が送信ジョブの実行指示を受け付けた時点である。つまり、操作部（タッチパネル３２、ハードキー３３）は、送信ジョブの宛先の設定と、送信ジョブの実行指示を受け付ける。送信ジョブが実行されるごとに、図７のフローが実行される。そのため、送信ジョブごとに履歴８（送信ジョブに関するデータ）が記憶部２に記憶される。
【００３６】
まず、制御部１は、設定された宛先のうち未送信の宛先を１つ選択する（ステップ♯１１）。同報送信のとき、制御部１は複数の宛先のうち、１つの宛先を選択する。同報送信でないとき、制御部１は設定された１つの宛先を選択する。
【００３７】
制御部１は、操作部で設定された宛先に向けて、送信用画像データに基づく送信を通信部６に行わせる（ステップ♯１２）。例えば、送信に関するサーバー、コンピューター２００、交換機との接続（セッションの確立）が行われる。また、接続に問題がなければ、通信部６は送信用画像データを宛先の装置に送信する。
【００３８】
画像データの送信開始から終了までの間、制御部１は、通信エラーが生じたか否かを確認する（ステップ♯１３）。通信エラーが発生した場合（ステップ♯１３のＹｅｓ）、制御部１は選択された宛先への画像データの送信を中止させる（ステップ♯１４）。なお、通信エラーが発生した場合、制御部１はリトライを行ってもよい。リトライは画像データの送信プロセスを再実行する処理である。所定回数のリトライを行っても送信が成功しない場合、制御部１は、ステップ♯１３はＹｅｓとなる。
【００３９】
通信エラーが発生していない場合（ステップ♯１３のＮｏ）、制御部１は、送信が完了したか否かを確認する（ステップ♯１５）。まだ通信中であるとき（ステップ♯１５のＮｏ）、フローはステップ♯１２に戻る。一方、ステップ♯１４の後、又は、エラーなく送信が完了したとき（ステップ♯１５のＹｅｓ）、制御部１は、全ての宛先への送信が完了したか否かを確認する（ステップ♯１６）。つまり、制御部１は送信ジョブが完了したか否かを確認する。同報送信で全ての宛先への送信が終わっていない場合、ステップ♯１６はＮｏとなる。宛先が１つのとき、及び、同報送信の全宛先への送信が終わったとき、ステップ♯１６はＹｅｓとなる。
【００４０】
ステップ♯１６がＮｏのとき、フローは、ステップ♯１１に戻る。ステップ♯１６がＹｅｓのとき、制御部１は、送信ジョブの履歴８を記憶部２に不揮発的に記憶させる（ステップ♯１７→エンド）。例えば、制御部１は、送信ジョブの履歴８を記憶部２に不揮発的に記憶させる。制御部１は、ストレージ２１に履歴８を記憶させる。なお、履歴８はＲＯＭ２２に記憶されてもよい。図８に履歴８の一例を示す。例えば、制御部１は、ジョブ番号、送信用画像データ、宛先、送信日時、種別、送信結果を履歴８として記憶部２に記憶させる。
【００４１】
ジョブ番号は制御部１が生成する番号である。例えば、ジョブ番号は通し番号である。１００回目に実行された送信ジョブの場合、制御部１は、１００番をジョブ番号とする。送信用画像データは、送信ジョブで送信した又は送信しようとした画像データである。送信用画像データは、操作パネル３での送信ジョブの設定が反映された画像データである。送信用画像データは、操作パネル３でなされた設定に基づき、画像処理部１２が画像処理を施したデータである。例えば、２ｉｎ１（ページ集約）の設定がなされた場合、送信用画像データは、１ページ内に２ページ分の画像が含まれた状態となっている。
【００４２】
制御部１は、使用者により設定された宛先を履歴８として記憶部２に記憶させる。同報送信の場合、制御部１は、複数の宛先を記憶させる。同報送信でない場合、制御部１は１つの宛先を記憶させる。また、制御部１は、送信日時を履歴８として記憶部２に記憶させる。送信日時は送信を開始した時点、または、送信を完了した時点である。日時を知るために、制御部１には計時部１３が設けられる（図１参照）。計時部１３は時計（Ｒｅａｌ  Ｔｉｍｅ  Ｃｌｏｃｋ）である。同報送信の場合、制御部１は、宛先ごとに送信日時を記憶させる。同報送信でない場合、制御部１は１つの送信日時を記憶させる。
【００４３】
制御部１は、送信の種別を履歴８として記憶部２に記憶させる。制御部１は宛先に応じた送信種別（方式）を記憶させる。電子メール送信、フォルダー送信、ファクシミリ送信のいずれで送信を行ったかが記録される。同報送信の場合、制御部１は、宛先ごとに種別を記憶させる。同報送信でない場合、制御部１は１つの種別を記憶させる。
【００４４】
制御部１は、送信結果を履歴８として記憶部２に記憶させる。制御部１は送信ジョブの成否を送信結果として記憶させる。送信が成功したとき、制御部１は成功の旨の送信結果を記憶させる。通信エラーで送信が失敗したとき（ステップ♯１４のとき）、制御部１は通信エラーの旨の送信結果を記憶させる。同報送信の場合、制御部１は、宛先ごとに送信結果を記憶させる。同報送信でない場合、制御部１は１つの送信結果を記憶させる。
【００４５】
ここで、通信エラーが生じたとき、制御部１は、通信エラーの内容を認識する。電子メールの場合、制御部１は通信部６から送信した要求に対するネットワークからの応答に基づき、通信エラーの内容を認識してもよい。また、メールサーバーからエラーメールが返信されることがある。制御部１は、返信されたエラーメールに基づき、電子メール送信での通信エラーの内容を認識してもよい。例えば、制御部１は、宛先名（ユーザ名）の不存在、アカウントの不存在、ホスト名の不存在、宛先のメールボックスの容量の満杯、メールサーバーへのアクセス不可、宛先のメールサーバー（ネットワーク）の停止のような通信エラーの内容（理由）を認識する。
【００４６】
フォルダー送信の場合、制御部１は通信部６から送信した要求に対するネットワークからの応答に基づき、通信エラーの内容を認識してもよい。また、制御部１は、フォルダー送信に関するサーバーからの返信に基づき、通信エラーの内容を認識してもよい。制御部１は、保存場所の不存在、宛先（共有フォルダー）の不存在、サーバー接続エラーの発生のような通信エラーの内容（理由）を認識する。
【００４７】
ファクシミリ送信の場合、制御部１は通信部６から送信した要求に対する受信側装置や回線網からの応答に基づき、通信エラーの内容を認識してもよい。例えば、制御部１は、電話線の未接続、相手方話し中、相手方のＦＡＸ装置が受信不可に設定、相手方がＦＡＸ装置ではない、回線接続のタイムアウトのような通信エラーの内容（理由）を認識する。
【００４８】
このように、制御部１は、同報送信の送信ジョブの履歴８に、少なくともそれぞれの宛先と、宛先ごとの送信結果（エラー内容）と、送信用画像データと、を含ませる。また、制御部１は、通信部６の通信内容、通信の種別に応じた規格、通信の種別に応じたプロトコルに基づき、通信エラーの内容（理由、詳細）を認識する。制御部１は認識した通信エラーの内容を通信結果として記憶部２に記憶させる。
【００４９】
（一覧表７ｅの表示）
図９〜図１１を用いて、実施形態に係る送信装置１０での履歴８の一覧表７ｅの一例を説明する。図９〜図１１は、実施形態に係る送信装置１０での履歴８の一覧表７ｅの一例を示す図である。
【００５０】
実行された各送信ジョブの履歴８の一覧表７ｅを表示パネル３１に表示させることができる。一覧表７ｅを表示させるための所定の操作（表示操作）がなされたとき、制御部１は一覧表７ｅを表示パネル３１に表示させる。図９〜図１１は一覧表７ｅの一例を示す。
【００５１】
図９〜図１１に示すように、一覧表７ｅの１行内に送信ジョブの内容が表示される。制御部１は、記憶部２に記憶された履歴８に基づき一覧表７ｅを表示させる。制御部１は、一覧表７ｅの１行内に複数列が設けられる。制御部１は、行内の各欄に１件の送信ジョブのジョブ番号、送信日時、種別、宛先、送信結果を表示させる。１画面内に最大５件分の送信ジョブの履歴８が表示される。一覧表７ｅの右側に配されたスクロールバーが操作されたとき、制御部１は他の送信ジョブの履歴８を表示パネル３１に表示させる。
【００５２】
図９は、通信エラーが生じなかった送信ジョブの履歴８のみを表示した状態の一例を示す。また、図９〜図１１に示すように、制御部１は、同報送信であった旨を一覧表７ｅ内に表示させる。つまり、制御部１は、同報送信を行った送信ジョブの履歴８の宛先欄に「同報送信」の文字列を含める。同報送信の文字列の右側には、複数の宛先のうちの１つの宛先が表示される。
【００５３】
図１０は、一覧表７ｅ内に通信エラーが生じた送信ジョブの履歴８が含まれる場合の一例を示す。言い換えると、図１０は、通信エラーによる送信中止があった送信ジョブの履歴８の表示例を示す。図１０の一覧表７ｅのうち、ジョブ番号００１０９の送信ジョブは、宛先が１つの送信ジョブである。宛先が１つの場合、制御部１は、通信エラーの有無に応じ、「成功」又は「エラー」の文字列を送信結果の欄内に表示させる。図１０の一覧表７ｅのうち、ジョブ番号００１１１の送信ジョブは、同報送信の送信ジョブである。同報通信の履歴８に関しては、制御部１は、通信エラーの宛先が１つもないとき、「成功」の文字列を送信結果の欄内に表示させる。通信エラーの宛先が１つでもあるとき、制御部１は、「エラー」の文字列を送信結果の欄内に表示させる。
【００５４】
制御部１は、一覧表７ｅに含まれる履歴８のうち、通信エラーがあった履歴８（送信結果が通信エラーの履歴８）に対して再送ボタン９１と再送不要ボタン９２を表示させる。言い換えると、送信用画像データが含まれる履歴８については、制御部１は、再送ボタン９１と再送不要ボタン９２を表示パネル３１に表示させる。制御部１は、一覧表７ｅ内に各ボタンを表示させる。図９〜図１１に示すように、制御部１は、通信エラーのある履歴８の行の高さを、通信エラーのない履歴８よりも広くする。制御部１は、通信エラーがあった履歴８の各欄の下側に各ボタンを表示させる。
【００５５】
再送ボタン９１が操作されたとき、制御部１は、再送ボタン９１が操作された履歴８（再送対象履歴８）に含まれる送信用画像データを、再送対象履歴８に含まれる宛先に向けて通信部６に送信させる（詳細は後述）。再送ボタン９１は、通信エラーが生じた送信ジョブでの宛先への送信用画像データの送信を指示するための画像である。再送ボタン９１を操作したとき、及び、再送不要ボタン９２を操作したときの詳細は後述する。
【００５６】
なお、同報送信の履歴８の詳細を確認することができる。この場合、図１１の上の図に示すように、使用者は、一覧表７ｅのうち同報送信の行（表示位置）をタッチする。操作部（タッチパネル３２）は、行へのタッチを特定の履歴８を選択する操作として受け付ける。続いて、図１１の上の図に示すように、使用者は、詳細キーＫ９の表示位置をタッチする。詳細キーＫ９が操作されたとき、制御部１は、選択された履歴８の詳細画面を表示パネル３１に表示させる。図１１の下の図は、履歴８の詳細画面の一例を示す。
【００５７】
制御部１は、選択された履歴８（データ）を参照する。そして、制御部１は同報送信の履歴８の詳細画面に、各送信先の送信日時、種別、宛先、送信結果を表示させる。使用者は、通信エラーが生じた宛先を確認することができる。詳細画面に配された閉じるキーＫ１０が操作されたとき、制御部１は、詳細画面の表示を中止する。そして、制御部１は、もとの画面を表示パネル３１に表示させる。つまり、図１１の上の図の状態に戻る。
【００５８】
（再送ボタン９１操作時の処理の流れ）
図１２を用いて、実施形態に係る再送ボタン９１操作時の処理の流れの一例を説明する。図１２は、実施形態に係る再送ボタン９１操作時の処理の流れの一例を示すフローチャートである。
【００５９】
図１２のスタートは、一覧表７ｅ内の再送ボタン９１が操作された時点である。まず、制御部１は、再送ボタン９１が操作された履歴８（再送対象履歴８）が同報送信の履歴８であるか否かを確認する（ステップ♯２１）。
【００６０】
同報送信のとき（ステップ♯２１のＹｅｓ）、制御部１は、同報送信の再送対象履歴８に含まれる宛先のうち、通信エラーが生じた宛先を再送する宛先に設定する（ステップ♯２２）。同報送信ではないとき（ステップ♯２１のＮｏ）、制御部１は、再送対象履歴８に含まれる１つの宛先を再送する宛先に設定する（ステップ♯２３）。例えば、制御部１は、設定した再送する宛先をＲＡＭ２３に記憶させる。
【００６１】
ステップ♯２２とステップ♯２３の後、制御部１は再送対象履歴８に含まれる送信用画像データを送信する画像データに設定する（ステップ♯２４）。例えば、制御部１は、再送する送信用画像データをＲＡＭ２３に読み出す。そして、制御部１は、宛先設定画面７２を表示パネル３１に表示させる（ステップ♯２５）。つまり、制御部１は、送信用画像データの送信前に、送信用画像データの宛先を設定するための宛先設定画面７２を表示パネル３１に表示させる（図３参照）。
【００６２】
宛先の設定ミスにより、通信エラーが生ずることがある。使用者は、表示された宛先設定画面７２で設定された再送する宛先を変更できる。ステップ♯２５により、使用者は誤った宛先を訂正できる。操作部は、宛先設定画面７２での宛先設定を受け付ける。そこで、制御部１は、再送する宛先が変更されたか否かを確認する（ステップ♯２６）。再送する宛先が変更されたとき（ステップ♯２６のＹｅｓ）、制御部１は、変更された宛先（新宛先）を再送する宛先に設定する（ステップ♯２７）。再送する宛先が変更されないとき（ステップ♯２６のＮｏ）、ステップ♯２７はスキップされる。つまり、制御部１はステップ♯２２、ステップ♯２３で設定された宛先を維持する。
【００６３】
やがて、スタートキーの操作のような再送の実行開始指示がなされたとき、制御部１は、設定した宛先に向けて送信用画像データを通信部６に送信させる（ステップ♯２８）。そして本フローは終了する（エンド）。宛先が変更された場合、制御部１は、通信エラーになった宛先に変えて、宛先設定画面７２で設定された新宛先に向けて送信用画像データを通信部６に送信させる。宛先が変更されなかった場合、制御部１は、前に通信エラーになった宛先に向けて送信用画像データを通信部６に送信させる。なお、ステップ♯２５〜ステップ♯２７はスキップしてもよい。この場合、再送ボタン９１を操作するだけで、再送対象履歴８のうち、通信エラーが生じた宛先に送信用画像データが送信される。
【００６４】
（再送不要ボタン９２操作時の処理の流れ）
次に、図１３を用いて、実施形態に係る再送不要ボタン９２操作時の処理の流れの一例を説明する。図１３は、実施形態に係る再送不要ボタン９２操作時の処理の流れの一例を示すフローチャートである。
【００６５】
制御部１は、一覧表７ｅに含まれる履歴８のうち、通信エラーがあった履歴８に対して再送不要ボタン９２を表示パネル３１に表示させる。図１３のスタートは、再送不要ボタン９２が操作された時点である。
【００６６】
まず、制御部１は、操作された再送不要ボタン９２に対応する履歴８に含まれる送信用画像データを記憶部２に消去させる（ステップ♯３１）。そして、制御部１は、一覧表７ｅのうち、再送不要ボタン９２が操作された履歴８に対する再送ボタン９１と再送不要ボタン９２を消す（ステップ♯３２）。以後、制御部１は、再送不要ボタン９２が操作された履歴８に対し、一覧表７ｅ内に再送ボタン９１と再送不要ボタン９２を表示させないようにする。つまり、制御部１は、履歴８に送信用画像データが含まれる履歴８に対してのみ、再送ボタン９１と再送不要ボタン９２を表示させる。
【００６７】
（再送対象エラー）
次に、図１４を用い、実施形態に係る送信用画像データの自動的な再送の対象とするエラーの一例を説明する。図１４は実施形態に係る再送対象エラーの一例を示す図である。
【００６８】
制御部１は、発生した通信エラーの内容を認識する。制御部１は、発生した通信エラーの内容を履歴８（送信結果）に含ませる。そのため、制御部１は、予め定められたエラー（再送対象エラー）があった履歴８に対してのみ、再送ボタン９１を表示するようにしてもよい。この場合、制御部１は、一覧表７ｅを表示するとき、通信エラーがあった履歴８のうち、再送対象エラーを含む履歴８を判定する。制御部１は、再送対象エラーが発生した送信ジョブの履歴８にのみ、再送ボタン９１を表示パネル３１に表示させる。これにより、特定のエラーが生じた送信ジョブに関してのみ、再送ボタン９１による再送を行わせることができる。
【００６９】
記憶部２は、再送対象エラーデータＤ１を不揮発的に記憶する（図１参照）。再送対象エラーデータＤ１は、再送対象エラーと扱う通信エラーを定義したデータである。ストレージ２１やＲＯＭ２２に再送対象エラーデータＤ１を記憶させることができる。図１は、再送対象エラーデータＤ１をストレージ２１に記憶させる例を示す。制御部１は再送対象エラーデータＤ１を参照する。
【００７０】
図１４は、再送対象エラーデータＤ１の一例を示す。例えば、時間の経過によりエラー原因が解消するようなエラーを再送対象エラーとすることができる。言い換えると、再送により正しく情報を伝えられそうな通信エラーを再送対象エラーとすることができる。例えば、ファクシミリ送信では、相手方機器の話し中のとき、通信エラーとなることがある。通話が終了すれば、相手方機器は受信可能な状態となる。また、電子メール送信では、受信先のメールサーバーの電源がＯＦＦされている場合、通信エラーとなることがある。メンテナンス終了等により、メールサーバーの電源がＯＮされれば、電子メールを受信できる状態になる。また、フォルダー送信では、画像データの保存先のＰＣやサーバーの電源がＯＦＦされている場合、通信エラーとなることがある。機器の電源がＯＮされれば、画像データを受信できる（保存できる）状態になる。図１４の再送対象エラーデータＤ１では、これらの通信エラーが再送対象エラーとして定義される。つまり、再送対象エラーには、Ｂｕｓｙや宛先の不存在のエラーを含めることができる。
【００７１】
どのような通信エラーを再送対象エラーとするか、適宜定めることができる。操作部は、再送対象エラーとする通信エラーを定める操作を受け付ける。この操作にあわせ、制御部１は、再送対象エラーデータＤ１を更新する。
【００７２】
（送信用画像データの再送不要ボタン９２操作時の処理の流れ）
次に、図１５を用いて、実施形態に係る送信用画像データの自動的な削除の処理の流れの一例を説明する。図１５は、実施形態に係る送信用画像データの自動的な削除の処理の流れの一例を示すフローチャートである。
【００７３】
通信エラーが生じた場合、履歴８が古くなる前に、再送のような何らかの対処が取られる。一般的に、古い履歴８ほど参照されることが少ない。古い履歴８ほど送信用画像データを含めておく必要性は少ないといえる。
【００７４】
図１５のフローチャートのスタートは、送信用画像データの自動削除の判定時点である。判定時点は予め定められる。判定時点は、適宜設定できる。操作部は判定時点の設定を受け付ける。例えば、判定時点は、複合機１００（送信装置１０）の主電源投入時、省電力モードからの復帰時、一日のうちの定時（例えば１２時）、毎週ある曜日の定時（例えば、毎週月曜日の１２時）とできる。
【００７５】
制御部１は、送信日時から予め定められた保持期間が経過した履歴８を確認する（ステップ♯４１）。制御部１は、各履歴８に含まれる送信日時を確認する。そして、制御部１は保持期間が経過した履歴８を認識する。保持期間は適宜設定できる。操作部が保持期間の設定を受け付けるようにしてもよい。例えば、保持期間は、１日、数日、十数日、数十日、１週間、数週間、１ヶ月、数ヶ月、半年、１年とできる。これら以外の期間としてもよい。そして、制御部１は、保持期間が経過した履歴８に含まれる送信用画像データを記憶部２に消去させる（ステップ♯４２）。これにより、再利用される可能性が少ない送信用画像データを削除することができる。
【００７６】
（同報送信の履歴８に対する再送ボタン９１の表示）
次に、図１６、図１７を用いて、実施形態に係る送信装置１０での同報送信の履歴８に対する再送ボタン９１の表示の一例を説明する。図１６、図１７は、実施形態に係る送信装置１０での再送ボタン９１の表示の一例を示す図である。
【００７７】
同報送信では、各宛先の送信結果を確認する場合、詳細キーＫ９を操作する必要がある。そこで、送信装置１０では、一覧表７ｅにおいて、通信エラーの発生数が多いか、少ないかを見分けられるようにする。具体的に、同報送信の履歴８であり、通信エラーが生じた履歴８に関し、制御部１は、通信エラーの宛先が多いほど再送ボタン９１の表示サイズを大きくする。言い換えると、通信エラーがあった履歴８に複数の宛先が含まれている場合、制御部１は通信エラーの発生件数に応じて再送ボタン９１のサイズを変える。
【００７８】
図１６、図１７に示す一覧表７ｅのうち、１行目に表示されている履歴８は、同報送信の履歴８である。また、１行目に表示されている履歴８は、通信エラーが生じた履歴８である。図１６と図１７では、再送ボタン９１のサイズが異なる。具体的に、図１７の再送ボタン９１は、図１６の再送ボタン９１よりもサイズが大きい（横幅が広い）。通信エラーが生じた宛先の数が、図１６に示す同報送信よりも図１７に示す同報送信の方が多い。例えば、図１６に示す同報送信では、複数の宛先のうち、１件で通信エラーが生じている。図１７に示す同報送信では、複数の宛先のうち、２件以上で通信エラーが生じている。
【００７９】
通信エラーが１件の場合の再送ボタン９１の基準サイズ（基準の横幅）が予め定められる。また１件当たりの加算幅が予め定められる。同報送信では、通信エラーの発生件数が１件よりも多い場合、制御部１は、以下の式により再送ボタン９１のサイズ（横幅）を求める。
（式）サイズ＝基準サイズ＋（加算幅×（通信エラーの発生件数−１））
これにより、通信エラーの発生件数が多いほど再送ボタン９１のサイズが大きくなる。なお、上記以外の手法により再送ボタン９１のサイズを定めてもよい。また、同報送信において、制御部１は、通信エラーの発生件数が多いほど、再送不要ボタン９２の表示サイズを小さくしてもよい。通信エラーの発生件数が多いことをより強調することができる。
【００８０】
このようにして、実施形態に係る送信装置１０は表示パネル３１、操作部（タッチパネル３２、ハードキー３３）、通信部６、記憶部２（ＲＯＭ２２、ＲＡＭ２３、ストレージ２１）、制御部１を備える。表示パネル３１は画面、画像を表示する。操作部は送信ジョブの宛先の設定と送信ジョブの実行指示を受け付ける。通信部６はデータの送信を行う。記憶部２はデータを記憶する。制御部１は送信ジョブの実行が指示されたとき、操作部で設定された宛先に向けて通信部６に画像データを送信させ、実行された送信ジョブの履歴８を記憶部２に不揮発的に記憶させ、履歴８には宛先と、送信した又は送信しようとした画像データである送信用画像データと、送信結果を含ませる。実行された各送信ジョブの履歴８の一覧表７ｅを表示させるための操作が操作部になされたとき、制御部１は一覧表７ｅを表示パネル３１に表示させる。制御部１は一覧表７ｅに含まれる履歴８のうち、通信エラーがあった履歴８に対して再送ボタン９１を表示させる。再送ボタン９１が操作されたとき、制御部１は、再送ボタン９１が操作された履歴８である再送対象履歴８に含まれる送信用画像データを、再送対象履歴８に含まれる宛先に向けて通信部６に送信させる。
【００８１】
これにより、一覧表７ｅに表示される再送ボタン９１を操作するだけで通信エラーが生じた送信ジョブを再送することができる。従って、通信エラーが生じた送信ジョブの再送に要する手間、時間、作業を大きく減らすことができる。使用者は１から設定をやり直さなくてよい。手間がかかるので、再送信作業を後回しにする使用者もいた。再送信作業を後回しにしたまま忘れる使用者もいる。しかし、容易に送信ジョブを再送できるので、重要な情報の送信漏れをなくすことができる。また、一覧表７ｅでは、通信エラーが生じた送信ジョブの履歴８に対してのみ再送ボタン９１が付される。従って、通信エラーが生じた送信ジョブと通信エラーが生じていない送信ジョブを容易に見分けることもできる。
【００８２】
また、操作部は、同じ画像データを複数の宛先に送信する同報送信の設定を受け付ける。制御部１は、同報送信の送信ジョブの履歴８に、それぞれの宛先と、宛先ごとの送信結果と、送信用画像データと、を含ませる。再送対象履歴８が同報送信の送信ジョブの履歴８であるとき、制御部１は、同報送信の再送対象履歴８に含まれる宛先のうち、通信エラーになった宛先に向けて、送信用画像データを通信部６に送信させ、送信結果が通信エラーではない宛先に向けて送信用画像データを通信部６に送信させない。同報送信での複数の宛先のうち、送信用画像データを正しく送信できなかった宛先にのみ再送することができる。同じ宛先に同じ内容の画像データを繰り返し送信することを防ぐことができる。
【００８３】
また、制御部１は、発生した通信エラーの内容を履歴８に含ませる。制御部１は、一覧表７ｅを表示する場合、予め定められた通信エラーである再送対象エラーが発生した送信ジョブの履歴８に対して再送ボタン９１を表示させる。制御部１は再送対象エラー以外の通信エラーが発生した送信ジョブの履歴８に対しては再送ボタン９１を表示させない。これにより、発生した通信エラーの内容に応じて再送か否かを定めることができる。つまり、再送する条件を細かく定めることができる。
【００８４】
受信装置が他の装置と通信中のとき、Ｂｕｓｙ（話し中、通信中）の通信エラーが生ずる場合がある。また、受信側の装置の電源が切られていた場合、送信先不明の通信エラーが生ずる場合がある。これらの通信エラーの原因は、時間経過により解消されている可能性がある。そこで、再送対象エラーは、Ｂｕｓｙの通信エラーと、宛先の不存在の通信エラーを含む。これにより、時間経過により解消する可能性が高い通信エラーにのみ送信用画像データを再送することができる。言い換えると、再送により正しく情報を伝えられそうな宛先にのみ、送信用画像データを再送することができる。無駄な再送（送信ジョブ）を無くすことができる。
【００８５】
宛先の設定ミスにより通信エラーが発生する場合がある。そこで、制御部１は、送信用画像データの送信前に、送信用画像データの宛先を設定するための宛先設定画面７２を表示パネル３１に表示させる。操作部は、宛先設定画面７２での宛先設定を受け付ける。制御部１は、通信エラーになった宛先に変えて、宛先設定画面７２で設定された新宛先に向けて、送信用画像データを通信部６に送信させる。これにより、再送時の宛先を正しい宛先に変更することができる。正しい宛先に送信用画像データを再送することができる。再送時に宛先の設定ミスに起因する通信エラーの再発を防ぐことができる。
【００８６】
また、制御部１は、一覧表７ｅに含まれる履歴８のうち、通信エラーがあった履歴８に対して再送不要ボタン９２を表示パネル３１に表示させる。制御部１は、操作された再送不要ボタン９２に対応する履歴８に含まれる送信用画像データを記憶部２に消去させる。一覧表７ｅを表示する場合、制御部１は再送不要ボタン９２が操作された履歴８に対し、再送ボタン９１と再送不要ボタン９２を表示させない。これにより、送信ジョブの各履歴８から再送不要な送信用画像データを削除することができる。従って、記憶部２の空き容量を増やすことができる。また、送信用画像データが削除された履歴８に対し、再送ボタン９１と再送不要ボタン９２を表示しないようにすることができる。
【００８７】
同報送信において、通信エラーの発生数が多いほど、送信用画像データを受信できてい宛先が多い。このような履歴８は、特に注目、確認すべきである。そこで、再送対象履歴８に複数の宛先が含まれる場合、制御部１は、通信エラーになった宛先が多いほど再送ボタン９１の表示サイズを大きくする。これにより、一覧表７ｅのうち、特に確認すべき履歴８を使用者に示すことができる。通信エラーが多数発生した履歴８に対する注意を促すことができる。
【００８８】
送信用画像データは蓄積される。記憶部２の容量には限界がある。一般的に、履歴８は古くなるほど参照されなくなる。参照されない履歴８の送信用画像データをいつまでも保持する必要はない。そこで、制御部１は、送信ジョブの送信日時を履歴８に含ませ、送信日時から予め定められた保持期間が経過した履歴８に含まれる送信用画像データを記憶部２に消去させる。これにより、送信時点からある程度時間が経過した送信用画像データを自動的に削除することができる。送信用画像データによる記憶領域の圧迫を避けることができる。記憶部２の空き容量を増やすことができる。
【００８９】
また、複合機１００（画像形成装置）は、上述の送信装置１０を含む。通信エラーが生じた送信ジョブを容易に再送することができる。従って、送信ジョブの再送が容易な画像形成装置を提供することができる。
【００９０】
本発明の実施形態を説明したが、本発明の範囲はこれに限定されるものではなく、発明の主旨を逸脱しない範囲で種々の変更を加えて実施することができる。
【産業上の利用可能性】
【００９１】
本発明は、画像データを送信する送信装置、画像形成装置に使用可能である。
【符号の説明】
【００９２】
１００  複合機（画像形成装置）          １０    送信装置
１      制御部                          ２      記憶部
２１    ストレージ（記憶部２）          ２２    ＲＯＭ（記憶部２）
２３    ＲＡＭ（記憶部２）              ３１    表示パネル
３２    タッチパネル（操作部）          ３３    ハードキー（操作部）
６      通信部                          ７２    宛先設定画面
７ｅ    一覧表                          ８      履歴
９１    再送ボタン                      ９２    再送不要ボタン
【図１】
2018064195.tif 000003
【図２】
2018064195.tif 000004
【図３】
2018064195.tif 000005
【図４】
2018064195.tif 000006
【図５】
2018064195.tif 000007
【図６】
2018064195.tif 000008
【図７】
2018064195.tif 000009
【図８】
2018064195.tif 000010
【図９】
2018064195.tif 000011
【図１０】
2018064195.tif 000012
【図１１】
2018064195.tif 000013
【図１２】
2018064195.tif 000014
【図１３】
2018064195.tif 000015
【図１４】
2018064195.tif 000016
【図１５】
2018064195.tif 000017
【図１６】
2018064195.tif 000018
【図１７】
2018064195.tif 000019